(57)【要約】本発明は、型枠支持部材および隣接する１組の型枠支持部材から形成される足場構造体に関する。型枠支持部材は、間隔があけられた少なくとも２つの垂直部材、前記垂直部材を架橋することで剛性型枠支持部材を形成する少なくとも１つの接続部材を含み、各垂直部材は、それに沿って間隔があけられた複数の取付け手段を含み、剛性構造を形成するための隣接する型枠支持部材の間に延伸する少なくとも１つの補強部材を解除可能に取付けることができる。
2015523483.tif 000002
【特許請求の範囲】
【請求項１】
型枠支持部材であって、間隔があけられた少なくとも２つの垂直部材、前記垂直部材を架橋して剛性型枠支持部材を形成するための少なくとも１つの接続部材を含み、各垂直部材は、それに沿って間隔があけられた複数の取付け手段を含み、隣接する型枠支持部材の間に延伸して剛性構造を形成するための少なくとも１つの補強部材を解除可能に取付けることができる、前記型枠支持部材。
【請求項２】
各取付け手段が、複数の接続部材および／または補強部材を解除可能に取付けられるように適合されている、請求項１に記載の型枠支持部材。
【請求項３】
各取付け手段が、間隔があけられた複数の開口部を含む、請求項１または２に記載の型枠支持部材。
【請求項４】
各取付け手段が、それぞれの垂直支持部材の周囲にリングを含み、開口部は、リングの全周に亘って間隔をあけて設けられている、請求項３に記載の型枠支持部材。
【請求項５】
各垂直部材の頂部にフォーク形の要素をさらに含む、請求項１〜４のいずれか一項に記載の型枠支持部材。
【請求項６】
垂直支持部材が、フォーク形の要素を昇降するためジャッキ要素を含む、請求項５に記載の型枠支持部材。
【請求項７】
各垂直部材の上端が、その頂部で第２の型枠支持部材を支持するように適応され、各垂直部材が、下方型枠支持部材の下方垂直部材に隣接するように取り付けられる、請求項１〜４のいずれか一項に記載の型枠支持部材。
【請求項８】
足場構造体であって、少なくとも１組の、２つ１組の型枠支持部材を含み、各型枠支持部材は間隔があけられた少なく２つの垂直部材、前記垂直部材を架橋する少なくとも１つの接続部材を含み、各垂直部材はそれに沿って間隔があけられた複数の取付け手段を含み、前記足場構造体は、隣接する型枠支持部材の間に延伸してその端部に解除可能に取り付けられる、少なくとも１つの補強部材をさらに含む、前記足場構造体。
【請求項９】
隣接する型枠支持部材の取付け手段の間に延伸して、その端部において該取り付け手段に解除可能に取り付けられる、複数の補強部材を含む、請求項８に記載の足場構造体。
【請求項１０】
１組の型枠支持部材が、１組の斜め補強部材で互いに固定され、それぞれは１つの型枠支持部材上の下方取付け位置から、隣接する型枠支持部材上の上方取り付け位置に延伸する、
請求項８または９に記載の足場構造体。
【請求項１１】
１組の型枠支持部材は、２組の斜め補強部材から成る４つの斜め補強部材によって互いに固定され、１組のそれぞれは間隔があけられた少なくとも２つの垂直部材の間に延伸する、
請求項１０に記載の足場構造体。
【請求項１２】
隣接する型枠支持部材の取付け手段の間に延伸して、その各端部において該取り付け手段に解除可能に取り付けられる、少なくとも１つの水平補強部材をさらに含む、請求項８〜１１のいずれか一項に記載の足場構造体。
【請求項１３】
１組の接続部材、１組の水平補強部材、または、接続部材および水平補強部材の内の１つを架橋する少なくとも１つの敷板要素をさらに含む、請求項１２に記載の足場構造体。
【請求項１４】
各取付け手段が、複数の接続部材および／または補強部材の解除可能な取り付けに適合されている、請求項８〜１３のいずれか一項に記載の足場構造体。
【請求項１５】
各取付け手段が、間隔があけられた複数の開口を含む、請求項８〜１４のいずれか一項に記載の足場構造体。
【請求項１６】
各取付け手段が、それぞれの垂直支持部材の周囲にリングを含み、開口部は、リングの全周に亘って間隔をあけて設けられている、請求項１５に記載の足場構造体。
【請求項１７】
各垂直部材の頂部にフォーク形の要素をさらに含む、請求項８〜１６のいずれか一項に記載の足場構造体。
【請求項１８】
垂直支持部材が、フォーク形の要素を昇降するためジャッキ要素を含む、請求項１４に記載の型枠支持部材。
【請求項１９】
各垂直部材の上端が、その頂部で第２の型枠支持部材を支持するために使用され、各垂直部材が、下部型枠支持部材の下部垂直部材に隣接するように取り付けられる、
請求項８〜１６のいずれか一項に記載の型枠支持部材。
【請求項２０】
請求項９〜１９のいずれか一項に記載の少なくとも１組の足場構造体、および、隣接する型枠支持部材の間に延伸してその各端部に解除可能に取り付けられる少なくとも１つの補強部材を含む、足場構造体アセンブリ。
【請求項２１】
請求項７に記載の足場構造体の頂部に積み重ねられる、請求項９〜１９のいずれか一項に記載の足場構造体を含む、足場構造体アセンブリ。
【発明の詳細な説明】
【技術分野】
【０００１】
本出願は、２０１２年８月２日に出願された豪国仮特許出願Ｎｏ．２０１２９０３３１２、名称“型枠支持要素”に基づく優先権を主張し、その明細書の全体を参照により繰り込むものである。
【０００２】
本発明は、コンクリートを打つための型枠を支持するために剛性の足場構造体を形成することに利用される、型枠支持要素に関する。
【背景技術】
【０００３】
型枠は、例えば、床スラブおよび梁などの様々な要素を形成するために、固まっていないコンクリートをその上に注ぐことができるモールド、または、表面を提供する、コンクリート施工において使用される。床スラブの場合、複数階層建築物の床は順次に形成され、また、型枠は後続のより高い床を形成するために先行する床の上に設置されるのが通常である。
【０００４】
このような型枠は、通常、一度コンクリートが固まると、コンクリートスラブから取り除くことができる、使用されていない型枠または型枠を含む高架形態を支持することに使用される、枠または足場を含む。再利用可能な型枠は、足場の上部において保持されるアルミニウム型枠パン（pan）を含んでもよい。さらに、型枠の上部においてシートまたはボードが使用されてもよい。
【０００５】
アルミニウム型枠パンは、通常、平面視で長方形であり、型枠表面から下方に延伸するリップまたはエッジを有する。これらのアルミニウム型枠パンは、アルミニウムパンの隣り合う４つの隅のそれぞれを保持する、単一の垂直支持部から、上方方向に延伸する４つの指を含むフォークで支持することが可能である。
【０００６】
通常は、型枠を支持するために使用される足場は、多数の個々の要素を手作業で組み立てて作られる。これら個々の要素は、垂直管状支持体および隣接する垂直支持体の間に延伸する補強部材を含む。一般的には、長方形に間隔があけられて配置された４つの垂直支持体を含む足場構造体が提供され、各垂直支持体を直立に保持するために４つの垂直支持体の間は各隅で補強される。フォークは、アルミニウム型枠パンが定位置に置かれる前にフォークの高さを調節する、ねじ式ジャッキを具備する各垂直支持体の上部に置かれる。
【０００７】
個々の足場構造体は、隣接する足場構造体からアルミニウム型枠パンの幅で間隔があけられるため、単一の型枠パンは各足場構造体の間を架橋することができる。
【０００８】
各足場構造体の建設は、自立支持構造を形成することができるように、個々の垂直支持体を直立に保持する一方で、個々の垂直部材の間に補強部材を取り付けなければならず、非常に労働集約的で、時間がかかり、多数の労働者を必要とする。
【０００９】
本発明は、この背景と問題およびこれに関連する困難性に対応するために開発された。
【００１０】
本発明の特定の目的および利点は、説明および例として本発明の態様を開示する付随する図面と以下の詳細な説明から明らかになるであろう。
【発明の概要】
【００１１】
第一の態様によれば、間隔があけられた少なくとも２つの垂直部材、前記垂直部材を架橋する少なくとも１つの接続部材を含む、型枠支持部材が提供され、各垂直部材は、それに沿って間隔があけられた複数の取付け手段を含み、該取付け手段には、剛性の構造を形成するための隣接する型枠支持部材の間に延伸する少なくとも１つの補強部材を解除可能に取付けることができる。
【００１２】
好ましくは、上述の型枠支持部材は平面形態であるが、間隔があけられた３またはそれ以上の垂直部材が使用される場合に、水平面内において第１セットの補強部材に対してある角度をなす、補強部材を含んでもよい。接続部材は、その各端部において、垂直部材および接続部材の間の大幅な相対運動なしで垂直位置に立ち上げることができる十分な剛性を有する型枠支持部材を形成するのであれば、各垂直部材に解除可能に取り付けられてもよい。好ましくは、接続部材は垂直部材に溶接され、さらに接続部材は、好ましくは、垂直部材が直立位置にあるときに、垂直部材の間に水平となるように位置決められる。
【００１３】
各垂直部材上の取付け手段は、隣接する型枠支持部材の間の、解除可能な補強部材の取り付けを、可能にする。好ましくは、２つ１組の型枠支持部材が筋交いによってお互いに固定され、筋交いは、１つの型枠支持部材上に位置決めされた下方の取付け手段から、隣接する型枠支持部材上の上方の取付け手段へ延伸する。好ましくは、４つの筋交いが、足場構造体を形成するために２つ１組の型枠支持部材の間に使用される。
【００１４】
水平補強部材が、隣接する垂直部材上の取付け手段に各水平補強部材の両端が取り付けられるように、隣接する足場構造体の間に延伸してもよい。これは、各足場構造体を、以下で説明される理由のために正確な距離に保持する手段を提供する。
【００１５】
各垂直部材の上端は、フォークを支持してもよく、フォークは、回転可能なカラーを具備するねじ込み部分を含む延伸ジャッキを有してもよく、カラーに対しては、フォークが所望の位置に昇降可能なように、フォークの基部が接する。フォークは、それぞれの指がアルミニウム型枠パンの角部を支持するための４個の突出指を有している。
【００１６】
代替的に、各垂直部材の上端は、第２の型枠支持部材を支持するために使用されてもよく、各垂直部材は、隣接する下方の型枠支持部材の下方の垂直部材に取り付けられる。ダボが、各垂直部材の上端に挿入されて、上方の垂直部材の下端を位置付ける。補強部材は、型枠支持部材間に使用され、剛性の構造を形成する。
【００１７】
型枠支持構造が、積み重ねられた多数の型枠支持部材を含む場合は、本発明のもう一つの態様は、下方の支持部材の上部上に第２の型枠支持部材を位置決めするために、型枠支持部材の上方部分に簡単にアクセス可能な高架作業面を形成するための敷板を、隣接する型枠支持部材間に置くことにある。敷板要素は、Ｕ形状のコネクタを両端に具備するパネルを有し、Ｕ形状のコネクタは、水平補強部材の上面上に位置付けられる。これは、敷板要素を隣接する型枠支持部材の間で所望の高さで迅速に位置決めすることを可能にする。敷板要素は、１個分の高さの型枠支持部材においても、型枠をその上端上に位置決めすることを可能にするために、使用されてもよい。
【００１８】
好ましくは、足場構造体の第１段は、平面上に敷板要素と共に組み立てられて各足場構造体の範囲内および間に位置付けられる。これは、足場構造体のアセンブリを横断する連続的な作業面を形成し、足場構造体のさらなる建設のための、非常に安全な作業環境を提供する。
【００１９】
一態様において、取付け手段は、各垂直部材に沿って間隔があけられた位置に溶接される多数のＵ形状の金属材を含む。
【００２０】
さらなる態様において、本発明は、型枠支持部材に存すると言ってもよく、該型枠支持部材は、間隔があけられた少なくとも２つの垂直部材、前記垂直部材の１つにその端部のうちの一つが取り付けられて剛性の型枠支持部材を形成する複数の接続部材を含み、剛性の構造を形成するために、隣接する個々の型枠支持部材または部材の間に、複数の補強部材を解除可能に取り付けるための、各垂直部材に沿って間隔があけられた複数の取付け手段をさらに含む。
【００２１】
さらなる態様において、本発明は、少なくとも１組の隣接する型枠支持部材を含む、足場構造体に存すると言ってもよく、各型枠支持部材は、間隔があけられた少なくとも２つの垂直部材、前記垂直部材を架橋して剛性の型枠支持部材を形成する少なくとも１つの接続部材を含み、各垂直部材は、それに沿って間隔があけられた複数の取付け手段を含み、足場構造体は、その各端部が隣接する型枠支持部材の間に延伸して解除可能に取り付けられる、少なくとも１つの補強部材をさらに含む。
【００２２】
さらなる態様において、本発明は、その各端部が足場構造体に解除可能に取り付けられる少なくとも１つの補強部材によって架橋される、少なくとも一組の、２つ１組の上述の足場構造体のアセンブリに存すると言ってもよい。
【００２３】
さらなる態様において、本発明は、単一の垂直部材、および、それに沿って間隔があけられた複数の取付け手段を含む、型枠支持部材に存すると言ってもよく、取付け手段には、隣接する型枠支持部材の間に延伸して剛性の構造を形成する少なくとも１つの補強部材を解除可能に取り付けることができる。
【００２４】
本発明の態様の１つまたはそれ以上の詳細な説明は、本発明の原理を例として説明する添付の図面及び写真に沿って下記に提供される。本発明が、態様を使用して説明されるが、本発明は如何なる態様にも限定されない。むしろ、本発明の範囲は、添付の特許請求の範囲にのみ限定され、本発明は、多数の代替、変更および同等のものを包含する。例示のために、多数の具体的詳細が、本発明の十分な理解を提供するために以下の詳細な説明に記載される。
【００２５】
本発明は、これら具体的詳細のいくつかまたは全てを利用することなく、特許請求の範囲に従って実施されてもよい。目的の明確さのために、本発明に関連する技術分野において既知の専門的な材料は、詳細に説明されておらず、よって本発明は不必要に不明瞭ではない。
本開示のより良い理解のために、以下の図面を活用することで、１つ以上の例示的態様について説明する。
【図面の簡単な説明】
【００２６】
【図１】図１は、第１の態様による足場構造体の端面図である。
【図２】図２は、図１の足場構造体の側面図である。
【図３】図３は、図１の足場構造体の配置図の平面図である。
【図４】図４は、第２の態様による足場構造体の端面図である。
【図５】図５は、図４の足場構造体の側面図である。
【図６】図６は、図４の足場構造体の配置図の平面図である。
【図７】図７は、第３の態様による足場構造体の端面図である。
【図８】図８は、図７の足場構造体の側面図である。
【図９】図９は、図７の足場構造体の配置図の平面図である。
【００２７】
【図１０】図１０は、図１の１−１線における断面図および取付け手段の詳細である。
【図１１】図１１は、足場構造体のアセンブリの端面図である。
【図１２】図１２は、図１１のアセンブリの側面図である。
【図１３】図１３は、図１１の足場構造体のアセンブリの配置図の平面図である。
【図１４】図１４は、敷板部材をさらに含む、図１１のアセンブリの端面図である。
【図１５】図１５は、敷板部材をさらに含む、図１１のアセンブリの側面図である。
【図１６】図１６は、図４の足場構造体の斜視図である。
【図１７】図１７は、足場構造体のアセンブリの斜視図である。
【図１８】図１８は、補強部材および１組の垂直支持体の間の取付け手段点の詳細図である。
【発明を実施するための形態】
【００２８】
以下の詳細な説明において、同様の参照文字は、図面のすべてを通じて、同様または対応する部分を指すものである。
図１〜９及び図１６には、共通の幅９０３ｍｍおよび共通の奥行１８００ｍｍを有するが、異なる高さを有する、各足場構造体１０が示される。
【００２９】
各足場構造体１０は、２つの型枠支持部材１を含み、各型枠支持部材１は、間隔があけられた２つの垂直部材１１、および、垂直部材１１の間に延伸して溶接される１組の水平接続部材１３を含む。この垂直部材１１および接続部材１３の組み合わせは、剛性の型枠支持部材１を形成する。
【００３０】
図１〜９に図示されている垂直部材のそれぞれは、それに沿って間隔があけられた複数の取付け手段１４、および、その上端にあるフォーク１２を含む。各フォーク１２は、回転可能なカラー１８を具備するねじ込み部分を含む延伸ジャッキ上に支持され、フォークが所望の位置に昇降可能なように、フォーク１２の基部は前記カラーに対して接している。
【００３１】
取付け手段１４は、剛性の足場構造体１０を形成するために、隣接する型枠支持部材１の間に延伸する少なくとも１つの補強部材（斜めおよび／または水平）に解除可能に取り付けることができるように、固定リング１４の形体をとる。
【００３２】
図１０を参照すると分かるように、各固定リング１４は、垂直部材１１の外径に等しい内径を有し、各固定リング１４は、溶接で固定される前に所定位置にスライド可能である。各固定リング１４は、固定リング１４の周りに等間隔にあけられた、８つの単一開口部１５を含む。このように、多様な補強部材の端部をそこに取り付けることができ、必要に応じてこれらの補強部材を様々な角度に延伸することができる。
【００３３】
斜め補強部１７は固定リング１４を介して取り付けることができるが、各垂直部材１１は、各垂直部材１１に沿って間隔があけられた多数の固定リング１４に加えて、斜め補強部１７を固定するために使用される１組のラッチピン１６を有する。各ラッチピン１６は、その端部に位置づけられた可動重力ピンを具備する垂直部材１１に固定されるピンを含む。重力ピンは、斜め補強部１７を取り付けることを容易にするために、主ピンに平行な水平位置に保持することが可能で、一度ピンの上に斜め補強部１７が位置づけられると、重力ピンは、それが下がるその水平位置から垂直位置に移動可能であるため、斜め補強部１７の解除を防止する。各斜め補強部１７は、各端部にピン開口部を有し、これは隣接する型枠支持部材の間への斜め補強部の迅速な取付けを可能にする。
【００３４】
図１６に図示されるような足場構造体１０を組み立てるために、１組の型枠支持部材１は垂直位置に保持され、斜め補強部１７は、１つの型枠支持部材１上の下方ラッチピン１６に取り付けられ、隣接する型枠支持部材１上の上方ラッチピン１６に取り付けられる。このようにして、４つの斜め補強部１７は、１組の型枠支持部材１の間に延伸することで、足場構造体１０を形成する。
【００３５】
図１〜１６はまた、足場構造体１０の４つのフォーク１２上にある、アルミニウム型枠パン１９を示す。パン１９は、足場構造体１０上の４つのフォーク１２のそれぞれから１つの指を使用する。
【００３６】
足場構造体１０のアセンブリが図示されている図１１および１２を参照して、追加の型枠支持部材２１が足場構造体１０に隣接して位置決められ、水平補強部材２２および追加の斜め部材２３によって定位置に保持されている。これらの追加の型枠支持部材２１は、固定リング１４および１つのフォーク１２を支持する単一の垂直部材１１を含む。
【００３７】
図１８を参照すると分かるように、補強部材２２および２３の各端部は、分岐した端部を含むことで、固定リング１４内のそれぞれの開口部１５に固定され、分岐した端部の両方の部分は、固定リング１４内の所望の開口部１５に揃えるための開口部を含み、このようにして、これらの揃えられた開口部は、補強部材２２または２３を固定リング１４に固定するために下向きに挿入されるウェッジ形状のピン２４を受け入れることができる。
【００３８】
一態様として、追加の型枠支持部材２１は、自立可能で、隣接する足場構造体１０から延伸する型枠パン１９とその上端において係合するフォーク１２によってのみ支持される。
【００３９】
組み立てられた足場構造体１０の結果的なアセンブリは、多数の均等に間隔があけられたフォーク１２を有し、その構造の上に型枠パン１９を置くことを可能にし、その上にコンクリートを流し込むための連続的な型枠表面を提供する。
【００４０】
図１１、１２および１７に見られるように、足場構造体１０は、積み重ねる（この場合は２つ１組）ことが可能である。ダボジョイナー（dowel joiner）（図１７において点線で図示される）は、上方の足場構造体１０を下方のものに固定するために使用される。ジョイナー２５は、垂直部材１１の上端に位置付けられ、定位置にボルト締めされ、上方の垂直部材１１は、延伸したジョイナー２５の上に位置付けられ、再び定位置にボルト締めされる。このように、上方の足場構造体１０は、下方の足場構造体１０の上部上に迅速、簡単に位置決めすることができる。
【００４１】
同様に、追加の型枠支持部材２１は、ジョイナー２５を使用した同じような方法で、組み立てることができる。
【００４２】
図１４および１５には、剛性の足場構造体１０を通して水平に延伸する敷板要素２６を具備する、図１１および１２の足場構造体１０のアセンブリが図示されている。敷板要素２６は、Ｕ形状のコネクタを具備するパネルを含み、Ｕ形状のコネクタは、接続部材１３の上部上にある。これは、隣接する足場構造体１０を通る連続的な通路を提供する。この配置において、敷板要素２６は、単一の足場構造体１０を含む隣接する型枠支持部材の間に位置決められ、追加の敷板要素２６は、隣接する足場構造体１０の間に延伸する。これにより、上方の足場構造体１０を定位置に置き、フォーク１２およびフォーク延伸要素へのアクセスを提供するために、下方の足場構造体１０の上方部分への必要なアクセスを提供する、高架の作業面を提供する。最終的に、これは、型枠パン１９をそれぞれのフォーク１２の範囲内に位置付けるための安全作業面を提供する。
【００４３】
補強部材２２は、補強部材２２の各端部をＵ形状の金属片２７に位置付けるウェッジピンを具備し、隣接する足場構造体１０の間に延伸している。ウェッジピンは、補強部材２２およびＵ形状の金属片２７の間の継手（joint）を固定して頑丈な継手を形成し、ウェッジピンには、ウェッジピンの偶発的な解除を防止するためにその下端部に安全固定ピンが提供される。
【００４４】
詳細な説明および以下の特許請求の範囲を通して、文脈で示されない限り、単語“含”および“包含”、および、“含む”および“包含する”などの変化は、規定された整数または整数の群の包含を意味すると理解することができるが、任意の他の整数または整数の群を除外するものではない。
【００４５】
詳細な説明におけるどのような先行技術の参照も、先行技術が共通の一般的な知識の一部を形成するように、提案のどのような形に限定されるものではない。
【００４６】
当業者には明らかなように、本発明のその使用は、説明された特定の応用に限定されるものではない。また、本発明は、ここで説明または示された特定の要素および／または特徴に関して、その好ましい態様に限定されるものではなく、以下の特許請求の範囲に規定された発明の範囲から離れることなく様々な改良が可能である。
【図１−３】
2015523483.tif 000003
【図４−６】
2015523483.tif 000004
【図７−１０】
2015523483.tif 000005
【図１１】
2015523483.tif 000006
【図１２】
2015523483.tif 000007
【図１３】
2015523483.tif 000008
【図１４】
2015523483.tif 000009
【図１５】
2015523483.tif 000010
【図１６】
2015523483.tif 000011
【図１７】
2015523483.tif 000012
【図１８】
2015523483.tif 000013
【国際調査報告】
2015523483.tif 000014
2015523483.tif 000015
2015523483.tif 000016
2015523483.tif 000017
2015523483.tif 000018
2015523483.tif 000019